(57)【要約】【課題】複数の異なる引掛けシーリングに対応可能で容易にカバーを取り付けることができるランプ取付け用アダプタおよびランプ取付用アダプタを用いた照明器具を提供することを目的とする。【解決手段】このように構成されたランプ取付用アダプタ２２は、アダプタ本体３６の外周面に沿ってねじ山の高さを変えることで、互いの支持に影響しない凸部により内側カバー８１の拡開弾性変形することを少なくできるので、カバー２３の変形劣化を抑制することができる。【選択図】図１
2011216315.tif 000002
【特許請求の範囲】
【請求項１】
上部側に引掛シーリングに着脱可能に取り付けられる引掛シーリング取付部が設けられ、下部側にランプが着脱可能に取り付けられるソケット部が設けられ、外周面に沿って周囲を覆うカバーが螺合されるねじ山の高さ方向が異なる複数の凸部が形成されている円筒状のアダプタ本体と；
を具備していることを特徴とするランプ取付用アダプタ。
【請求項２】
請求項１記載のランプ取付用アダプタと；
ランプ取付用アダプタの雄ねじに螺合して取り付けられ、引掛シーリングおよびランプ取付用アダプタのねじ山の高さ方向が高い凸部と係合する係合部を有するカバーと；
を具備していることを特徴とする照明器具。
【発明の詳細な説明】
【技術分野】
【０００１】
本発明は、引掛シーリングにランプを取り付けるためのランプ取付用アダプタ、およびこのランプ取付用アダプタを用いた照明器具に関する。
【背景技術】
【０００２】
従来、天井に設置された引掛シーリングを利用して、例えばＧＸ５３形の口金を有するランプを取り付けられるようするランプ取付用アダプタがある。
【０００３】
このランプ取付用アダプタは、円盤状で、上面には引掛シーリングに機械的および電気的に取り付けられる一対の引掛爪が突設され、下面にはランプの口金が取り付けられるソケットが形成されている（例えば、特許文献１参照。）。
【先行技術文献】
【特許文献】
【０００４】
【特許文献１】特開２００８−５３０５８号公報（第４頁、図１）
【発明の概要】
【発明が解決しようとする課題】
【０００５】
従来のランプ取付用アダプタでは、ランプを回動させてランプ取付用アダプタに着脱する際に、ランプと一緒にランプ取付用アダプタが回動してしまったり、また、引掛シーリングおよびランプ取付用アダプタの周囲が露出して外観が損なわれたり、また、既存の引掛シーリング取付部やソケットを使用することができないものとなっている。
【０００６】
このように、従来、ランプ取付用アダプタが提案されているが、実現可能な具体性が乏しく、実際の使用に適していなかった。
【０００７】
本発明は、このような点に鑑みなされたもので、複数の異なる引掛けシーリングに対応可能で容易にカバーを取り付けることができるランプ取付け用アダプタおよびランプ取付用アダプタを用いた照明器具を提供することを目的とする。
【課題を解決するための手段】
【０００８】
請求項１記載のランプ取付用アダプタは、上部側に引掛シーリングに着脱可能に取り付けられる引掛シーリング取付部が設けられ、下部側にランプが着脱可能に取り付けられるソケット部が設けられ、外周面に沿って周囲を覆うカバーが螺合されるねじ山の高さ方向が異なる複数の凸部が形成されている円筒状のアダプタ本体と；を具備しているものである。
【０００９】
引掛シーリングは、例えば、埋込形、角形および丸形などのいずれの種類でもよい。
【００１０】
ランプは、例えば、口金としてＧＸ５３形やＥ形などが用いられ、光源としてＬＥＤおよびＥＬなどの半導体発光素子や蛍光管などが用いられたいずれの種類のランプでもよい。
【００１１】
アダプタ本体の引掛シーリング取付部は、例えば、引掛シーリングに設けられた一対の接続孔に差し込まれるとともに取付方向に回動されて機械的および電気的に取り付けられる一対の引掛爪が突設されている。
【００１２】
アダプタ本体のソケット部は、ランプの口金の種類に対応した種類のソケット構造となっている。
【００１３】
アダプタ本体の外周面に沿って形成されている高さ方向が異なる複数の凸部の形状は、ネジ切り形状であっても、周方向に単に凸を設けた環状であっても構わない。要は、少なくとも２種類以上の高さ方向が異なる凸形状を有し、凸部分においてカバーを取付可能であればその形状などについて限定されない。
【００１４】
請求項２記載の照明器具は、請求項１記載のランプ取付用アダプタと；ランプ取付用アダプタの雄ねじに螺合して取り付けられ、引掛シーリングおよびランプ取付用アダプタのねじ山の高さ方向が高い凸部と係合する係合部を有するカバーと；を具備しているものである。
【００１５】
カバーは、はアダプタのソケットに装着されるランプを被覆であればその形状や素材などは限定されない。
【００１６】
カバーは例えば、アダプタ本体の凸部と係合する凸部を少なくとも１つ有している。なお、カバーに形成された凸部と係合するアダプタ本体の高さの高い凸部は係合可能であれば、その形状や高さは限定されない。また、引掛けシーリングにアダプタを取付けた状態でカバーを押し上げることで、高さの低い凸部とカバーの開口周囲に形成された凸部とが引っ掛かることなく挿入可能であれば、その形状や高さについては限定されない。さらに、カバーの凸部およびアダプタの凸部の形状は、それぞれが係合可能であれば例えばその断面形状が台形や、かまぼこ形状などその大きさや形状については限定されない。
【発明の効果】
【００１７】
請求項１記載のランプ取付用アダプタによれば、アダプタ本体の外周面に沿って高さ方向が異なる凸部を形成したため、引掛シーリングおよびアダプタ本体の周囲を覆うカバーを容易かつ確実に取り付けることができる。
請求項２記載の照明器具によれば、引掛シーリングからランプ取付用アダプタが不用意に位置ずれしたり脱落するのを防止でき、また、ランプ取付用アダプタに取り付けるカバーにより引掛シーリングおよびランプ取付用アダプタの周囲を覆い、外観を向上できる。
【図面の簡単な説明】
【００１８】
【図１】本発明の第１の実施の形態を示すランプ取付用アダプタを用いた照明器具の分解斜視図である。
【図２】同上ランプ取付用アダプタの分解下面斜視図。
【図３】同上照明器具の断面図である。
【発明を実施するための形態】
【００１９】
以下、本発明の一実施の形態を、図面を参照して説明する。
【００２０】
図１ないし図３に第１の実施の形態を示す。
【００２１】
図１および図３において、１１は照明器具で、この照明器具１１は、天井面などの設置面に予め設置されている引掛シーリングに取り付けられる。
【００２２】
引掛シーリング1２は、設置面からの高さが低い円盤状の埋込形引掛シーリングであり、下面には引掛シーリング１２の中心に対して対称位置に一対の接続孔１２ａが形成されている。これら接続孔１２ａは、引掛シーリング１２の中心に対して同一円周上に沿って円弧状の長孔に形成され、一端には孔幅の広い幅広部が形成されている。各接続孔１２ａの内側には、引掛シーリング１２に配線されている電源線が接続されている図示しない一対の端子が配置されている。
【００２３】
そして、照明器具１１は、ＧＸ５３形口金を用いたフラット形のランプ２１を使用するもので、このランプ２１を引掛シーリング１２に取り付けるランプ取付用アダプタ２２と、引掛シーリング１２、ランプ取付用アダプタ２２およびランプ２１を覆ってランプ取付用アダプタ２２に取り付けられるカバー２３とを備えている。
【００２４】
ランプ２１は、円盤状のランプ本体２６を備え、このランプ本体２６の一面側である上面側にＧＸ５３形の口金２７が設けられ、ランプ本体２６の他面側である下面側に半導体発光素子としてのＬＥＤを有する図示しない発光モジュールが配設されているとともにこの発光モジュールを覆う透光性カバー２８が配設されており、ランプ本体２６の内部に口金２７から電力供給を受けてＬＥＤを点灯させる図示しない点灯回路が内蔵されている。
【００２５】
ランプ本体２６は、例えば金属製で、周囲には複数の放熱フィン２９が設けられている。
【００２６】
口金２７の上面中央部には円形の突出部３０が突設され、上面周辺部でランプ２１の中心に対して対称位置に一対のランプピン３１が突設されている。
【００２７】
カバー２３は、例えば、絶縁性を有する合成樹脂製で、円筒状の外側カバー８０、この外側カバー８０の内側に配置される円筒状の内側カバー８１を備え、これら外側カバー８０の下端と内側カバー８１の下端とが環状の下面カバー８２で連結されている。
【００２８】
外側カバー８０の上端には、カバー２３の施工時に、設置面に当接される当接面が形成されている。
【００２９】
内側カバー８１の下部側には下方へ向けて拡開されてランプ２１を収容する筒状の収容部８３が形成され、内側カバー８１の上部側にはランプ取付用アダプタ２２のねじ山の高い部分４６ａと係合する嵌合部８５が形成されている。この嵌合部８５の内周面には、ランプ取付用アダプタ２２の雄ねじに螺合する雌ねじのねじ山が１ピッチ分となるように形成されている。
【００３０】
ランプ取付用アダプタ２２は、円筒状のアダプタ本体３６、このアダプタ本体３６の上部側に設けられる引掛シーリング取付部３７、およびアダプタ本体３６の下部側に設けられるソケット部３８を備えている。
【００３１】
アダプタ本体３６は、絶縁性を有する合成樹脂製で、円筒状の周壁４１、およびこの周壁４１の内側で上下方向の中間部に設けられた仕切壁４２を備え、仕切壁４２の上側に引掛シーリング取付部３７を収納する上側収納部４３が形成され、仕切壁４２の下側にソケット部３８を収納する下側収納部４４が形成されている。
【００３２】
アダプタ本体３６の外周面の一部に解除操作部４５が形成されているとともに外周面には、解除操作部４５を除いて、そのアダプタ本体３６の外周面に沿って螺旋状の雄ねじのねじ山４６が形成されている。雄ねじの外周面の１箇所または複数箇所には、ねじ山４６の一部を平坦状に切り欠いた平坦部４７が形成されている。
【００３３】
また、アダプタ外周のねじ山４６には、ねじ山が高い部分４６ａと、ねじ山が低い部分４６ｂが形成されており、引掛けシーリング１２側およびソケット部３８側のねじ山を高く形成している。すなわち、高いねじ山４６ａに挟まれたねじ山は低いねじ山４６ｂとなるよう形成されている。
【００３４】
ねじ山の高さについては、例えば、高さの異なる引掛けシーリング１２に対応することを可能としており、引掛けシーリング１２の高さが高い場合には、引掛けシーリング１２側の高いねじ山４６ａとカバー体２３の嵌合部８５を係合させカバー２３を支持する。一方、引掛けシーリング１２の高さが低い場合には、ソケット部３８側に形成された高さの高いねじ山４６ａとカバー体２３の嵌合部８５を係合させてカバー２３を支持する。
【００３５】
仕切壁４２の周辺部には、アダプタ本体３６に引掛シーリング取付部３７をねじ止めするためのねじを下側方向から通す一対のねじ挿通孔５０が形成され、アダプタ本体３６にソケット部３８をねじ止めするためのねじを下側方向からねじ込む取付孔５１を有する一対のボスが形成され、引掛シーリング取付部３７側とソケット部３８側とを電気的に接続する電線を通す電線挿通孔５２が形成されている。
【００３６】
また、引掛シーリング取付部３７は、絶縁性を有する合成樹脂製の引掛シーリング取付部本体６１を備え、この引掛シーリング取付部本体６１に、アダプタ本体３６の上面を閉塞する円板状の上面部６２、およびこの上面部６２の周縁から下方へ突出してアダプタ本体３６の周壁４１の内側に配置されるとともに仕切壁４２に当接する側面部６３が形成されている。
【００３７】
上面部６２の中央には引掛シーリングキャップ部６３が設けられている。この引掛シーリングキャップ部６３には、引掛シーリング取付部３７の中心に対して対称位置に略Ｌ字形の一対の引掛爪６４が突設されている。一方の引掛爪６４の側部には、引掛シーリングキャップ部６３に内蔵されたロック機構のロック爪６５が出没可能に配置されており、ロック機構は、ロック爪６５を付勢に抗して強制的に埋没させる解除ボタン６６を備えている。なお、引掛シーリングキャップ部６３は、既存の引掛シーリングキャップを用いて引掛シーリング取付部本体６１に組み込んでもよいし、引掛爪６４やロック機構を引掛シーリング取付部本体６１に組み込んで構成してもよい。
【００３８】
引掛シーリング側面部の一部には、アダプタ本体３６の解除操作部４５の切欠部に対向配置される溝部が形成され、この溝部に解除ボタン６７が配置されている。
【００３９】
また、ソケット部３８は、ＧＸ５３形口金の接続に対応しているもので、絶縁性を有する合成樹脂製のソケット部本体７０を備え、このソケット部本体７０に、アダプタ本体３６の下面に配置される環状の下面部７１、およびこの下面部７１の内周縁から上方へ突出する筒部７２が形成されている。この筒部７２の内側に、ソケット部３８に取り付けられるランプ２１の口金２７の突出部３０が嵌り込む。
【００４０】
下面部７１には、ソケット部３８の中心に対して対称位置に、ランプ２１のランプピン３１が接続される一対の接続孔７３が形成されている。これら接続孔７３は、引掛シーリング１２の中心に対して同一円周上に沿って円弧状の長孔に形成され、一端には孔幅の広い幅広部が形成されている。各接続孔７３の内側には、ランプ２１のランプピン３１が電気的に接続される端子が配置されている。
【００４１】
そして、引掛シーリング取付部３７の一対の引掛爪６４とソケット部３８の一対の端子とは、アダプタ本体３６の電線挿通孔５２を通じて配線される一対の電線で電気的に接続されている。
【００４２】
次に、照明器具１１の施工について説明する。
【００４３】
まず、ランプ取付用アダプタ２２を引掛シーリング１２に取り付ける。引掛けシーリング１２にランプ取付用アダプタ２２を押し上げて、ランプ取付用アダプタ２２の一対の引掛爪６４を引掛シーリング１２の一対の接続孔１２ａの幅広部に下方から挿入した後、ランプ取付用アダプタ２２を取付方向に所定角度回動させることにより電気的に接続させる。このとき、ランプ取付用アダプタ２２の外周面には平坦部４７が形成されているため、ランプ取付用アダプタ２２を回動させる際に手が滑るのを防止でき、回動操作しやすい。
【００４４】
続いて、アダプタ２２の下面側から、内側カバー８１の上部側開口部を押し上げ挿入する。その際、カバー２３の内周に形成された嵌合部８５までは、アダプタの内周の高さの低いねじ山４６ａとカバー２３内周は接触することなく挿入できる。アダプタ２２のランプ２１側に形成したねじ山が高い部分４６ａとカバー２３の嵌合部８５が接触したら、カバー２３を強く上へ押し上げることで、カバー体２３の内側カバー８１はその開口を拡開する方向に弾性変形する。その変形により互いの凸部を乗り越えアダプタのねじ山４６ａと嵌合部８５の係合し、カバー２３は自重により互いの凸部に引っ掛かる。最後に、カバー２３をねじ上げることで、カバー体が上昇し外側カバー８０の上端が設置面に締め付け固定される。
【００４５】
続いて、ランプ２１をカバー２３の内側に挿入し、ランプ２１の一対のランプピン３１をランプ取付用アダプタ２２の一対の接続孔７３の幅広部に下方から差し込み、ランプ２１を取付方向に所定角度回動させることにより、ランプ２１の一対のランプピン３１の径大部が接続孔７３の縁部に引っ掛かるとともに接続孔７３の内側に配置されている端子に電気的に接続される。
【００４６】
このようにして、施工された照明器具１１は、カバー２３によって引掛シーリング１２およびランプ取付用アダプタ２２が覆われ、外観を向上できる。
【００４７】
そして、引掛シーリング１２からランプ取付用アダプタ２２を通じてランプ２１に給電することにより、ランプ２１のＬＥＤが発光し、発光部３２である透光性カバー２８から光を放出する。
【００４８】
そして、このように構成されたランプ取付用アダプタ２２は、アダプタ本体３６の外周面に沿ってねじ山の高さを変えることで、互いの支持に影響しない凸部により内側カバー８１の拡開弾性変形することを少なくできるので、カバー２３の変形劣化を抑制することができる。また、高さの高いねじ山４６ａと隣接するねじ山を高さが低いねじ山４６ｂとすることで、カバー２３の締め上げの際のカバーの歪みを抑制することができる。さらに、アダプタ本体３６の外周面に雄ねじが形成される範囲の高さ寸法は、設置面からの高さが異なる種類の引掛シーリング１２に取り付けられたアダプタ本体３６がいずれの高さ位置にあっても、設置面に接触して配置されるカバー２３が螺合可能とする高さ寸法に形成するため、高さが異なる種類の引掛シーリング１２に対して共用できる。例えば、角形引掛シーリングや丸形引掛シーリングは、埋込形の引掛シーリング１２に比べて設置面からの高さが大きいため、引掛けシーリング１２側の高いねじ山４６ａとカバー２３の嵌合部８５と係合して取り付けることができる。さらに、アダプタ２２に形成された雄ねじを利用してカバー２３を最後に締め上げることで、カバー２３と設置面との間に隙間があいてしまうような不具合の発生を防止できる。さらに、ねじ上げる際に、内側カバー８１の開口が外方向に拡開しようとする弾性変形が作用するが、高さの高いねじ山４６ａの隣に、高さの低いねじ山４６ｂを形成することで、その力を緩和することができる。
【符号の説明】
【００４９】
１１・・・照明器具、１２・・・引掛シーリング、２１・・・ランプ、
２２・・・ランプ取付用アダプタ  ２３・・・カバー、４６ａ・・・高いねじ山部
４６ｂ・・・低いねじ山部、８５・・・嵌合部
【図１】
2011216315.tif 000003
【図２】
2011216315.tif 000004
【図３】
2011216315.tif 000005